(57)【要約】【課題】電磁気はどのようにできるのか。電束密度：磁束密度はどうして１：８×１０７になるのか。起電力：起磁力はどうして８×１０７：１であるのか。ボーア磁子のどれ位が万有引力になるのか。【解決手段】電子のラブは１個で１０８個の電気の光子を作るから、電子のラブ１公転で、１０８個の電気の光子の輪ができる。電子のラブは１公転する間に８×１０１５回自転し、８×１０１５個の磁気の光子の輪を作る。これが１組の電磁気になる。ボーア磁子は電子の磁気の光子の輪８×１０１５個のエネルギーである。この事から電子に於ける、磁気の光子の輪１個の軌道エネルギーを知る。万有引力の軌道エネルギーは、電子に於ける軌道エネルギーのどれ位であるかを知る。【選択図】    図４
2005269888.tif 000002
【特許請求の範囲】
【請求項１】
同じ大きさの軌道で、同じエネルギーで、同じ回転方向の電気の光子は重なり合う。同じ大きさの軌道で、同じ大きさのエネルギーで、同じ回転方向の磁気の光子は重なり合う。
【請求項２】
電気の光子の発生原理。
電気の光子は電子のラブが走る事によってできる。
１個の電子のラブは走って１０８個の電気の光子を作る。
１個の電子のラブは１公転して１０８個の電気の光子の輪を作る。
【請求項３】
磁気の光子の発生原理。
磁気の光子は電子のラブが自転することによってできる。
電子のラブが１自転することによって１個の磁気の光子の輪ができる。
【請求項４】
原子において、電気の光子と磁気の光子はどのように成っているか。
電子のラブは１公転し、電気の光子の輪を１０８個作る。
電気の光子の輪は１０８個で、電子のラブの公転方向の反対方向に回転する。
電子のラブが１公転する間に、電子のラブは８×１０１５回自転する。そして８×１０１５個の磁気の光子の輪を作る。
磁気の光子の輪は８×１０１５個で、電気の光子の輪をクロス回転する。
これらが１組で、電子の電磁気となる。
これが放出し電磁波になる。
それで、電磁気の  磁束密度÷電束密度＝８×１０１５÷１０８＝８×１０７    である。
【請求項５】
本発明者は従来、磁気の光子１個の軌道エネルギーは、１．１×１０−４１Ｊ・ｍ÷軌道又はエネルギー  であると考えてきた。
しかし、この軌道エネルギーの式は、磁気の光子１０８個の磁気の光子の軌道エネルギーである。
１０８個の磁気の光子が集まって、まるで１個の磁気の光子のようになっているので、１０８個の磁気の光子の輪を１単位とする磁気の光子１単位の軌道エネルギーです。
磁気の光子１個の軌道エネルギーの式は、
１０−４１÷１０８Ｊ・ｍ÷軌道又はエネルギー＝１０−４９Ｊ・ｍ÷軌道又はエネルギー  です。
【請求項６】
電気の光子の軌道エネルギーの式はどれ位か。
起電力÷起磁力＝７．９６×１０７＝電束密度÷磁束密度×電気の光子の軌道エネルギーの式÷磁気の光子の軌道エネルギーの式  ですから、
電気の光子の軌道エネルギーの式＝磁気の軌道エネルギーの式×７．９６×１０７×８×１０１５÷１０８＝６．３６８×１０−３４Ｊ・ｍ÷軌道又はエネルギー
電気の光子の軌道エネルギーの式は、
６．３６８×１０−３４Ｊ・ｍ÷軌道又はエネルギー  です。
電気の光子の軌道エネルギーは磁気の光子の軌道エネルギーの６．３６８×１０１５倍です。
【請求項７】
原子において、１秒間に電気の光子の輪はどれ位できるか。
水素原子の電子の公転周期は１．５２×１０−１６秒です。
それで、水素の電子は１秒間に、
１÷（１．５２×１０−１６）＝６．５７９×１０１５  回公転する。
それで、原子の電子のラブは１秒間に、約１０１６回公転し、１０１６の電気の光子の輪を作っている。
電子のラブが１公転すると１０８個の電気の光子の輪ができるから、１０１６回の公転でできる電気の光子の輪は、
１０１６×１０８個＝１０２４個です。
【請求項８】
原子の中で電子のラブが公転する時の秒速はどれ位か。
物質の原子の中で、電子のラブの軌道は、
１０−２５Ｊ・ｍ÷（８×１０−１４Ｊ）＝１．２５×１０−１２ｍです。
原子の中で、電子のラブは１秒間に１０１６回公転するとすると、電子のラブの秒速は、
電子のラブの秒速÷（１．２５×１０−１２ｍ×π）＝１０１６
電子のラブの秒速＝１０１６×１．２５×１０−１２ｍ×π＝３．９２５×１０４ｍ
原子の中で、電子のラブの公転速度は秒速３．９２５×１０４ｍです。
【請求項９】
電子のラブは１秒間に何回自転するか。１秒間に磁気の光子の輪はどれ位できるか。
電子のラブの自転軌道は、
１０−４１Ｊ・ｍ÷（８×１０−１４Ｊ）＝１．２５×１０−２８ｍ  です。
電子のラブが自転するときの秒速は３．９２５×１０４ｍですから、１秒間に自転する回数は、
３．９２５×１０４ｍ÷（１．２５×１０−２８ｍ×π）＝１０３２  回転です。
それで、電子のラブは１秒間に約１０３２回自転し、１０３２個の磁気の光子の輪を作っている。
（但し、電子のラブの公転軌道を、１０−２５Ｊ・ｍ÷（８×１０−１４Ｊ）として計算し、電子のラブの自転軌道を、１０−４１Ｊ・ｍ÷（８×１０−１４Ｊ）として計算した。）
【請求項１０】
電子のラブが１公転する時、電子のラブは何回自転するか。
電子のラブは１秒間に１０１６回公転する。
電子のラブは１秒間に１０３２回自転する。
電子のラブが１公転する時、電子のラブは何回自転するか。
１０３２÷１０１６＝１０１６  １０１６回自転している。
即ち、電子のラブが１公転し、１０８個の電気の光子の輪ができます。この間に、電子のラブは１０１６回自転し１０１６個の磁気の光子の輪ができます。
それで、１０８個の電気の光子の輪の周囲を、１０１６個の磁気の光子の輪がクロス回転します。
【請求項１１】
原子の中で磁気の光子はどのようになっているか。どのように成長するか。
電子のラブの自転軌道は、１．１×１０−４１Ｊ・ｍ÷（８×１０−１４Ｊ）＝１．３７５×１０−２８ｍ  です。
それで、磁気の光子も１．３７５×１０−２８ｍの輪として生まれる。このエネルギーは、
１０−４９Ｊ・ｍ÷（１．３７５×１０−２８ｍ）＝７．２７２７×１０−２２Ｊ  です。
それから軌道を大きくするに従い、エネルギーは小さくなる。
軌道が８．６２×１０−１１ｍに成ると、エネルギーは、
１０−４９Ｊ・ｍ÷（８．６２×１０−１１ｍ）＝１．１６×１０−３９Ｊ  になる。
８．６２×１０−１１ｍの軌道をクロス回転している磁気の光子の輪は８×１０１５個であるから、その磁気の光子の輪のエネルギーは、
８×１０１５個×１．１６×１０−３９Ｊ＝９．２８×１０−２４Ｊ  です。
これがボーア磁子です。
【請求項１２】
ボーア磁子とはどのような状態か。
ボーア磁子は９．２７４×１０−２４Ｊ／Ｔ  です。
電子のラブの外側には、１０８個の電気の光子の輪が１束になって、電子のラブの回転方向の反対方向に回転している。
その周囲を磁気の光子の輪が８×１０１５個、電子のラブの自転方向の反対方向にクロス回転している。
１０８個の電気の光子の輪は、電子のラブが１公転することによってできた。
８×１０１５個の磁気の光子の輪は、電子のラブが８×１０１５回自転することによってできた。
ボーア磁子は８×１０１５個の磁気の光子の輪のエネルギーである。
磁気の光子の輪１個のエネルギーは、
９．２７４×１０−２４Ｊ÷（８×１０１５個）＝１．１５９２５×１０−３９Ｊ  です。
それで、この軌道は、
１０−４９Ｊ・ｍ÷（１．１６×１０−３９Ｊ）＝８．６２×１０−１１ｍ  です。
故に、軌道が８．６２×１０−１１ｍの電気の光子の輪が１０８個束になって回転していて、その回転の輪を、軌道が８．６２×１０−１１ｍの磁気の光子の輪が８×１０１５個束になってクロス回転している状態です。
電気の光子の輪１個のエネルギーは、
６．３６８×１０−３４Ｊ・ｍ÷（８．６２×１０−１１ｍ）＝７．３７８×１０−２４Ｊ  です。
１０８個では、７．３７８×１０−１６Ｊです。
それで、これが放出すると電磁気になります。
電磁気となった場合、
起電力÷起磁力＝７．３７８×１０−１６Ｊ÷（９．２７４×１０−２４Ｊ）＝７．９５×１０７  です。
【請求項１３】
核磁子＝５．０５０８×１０−２７Ｊ／Ｔはどのような状態か。
陽子のラブの自転の軌道は、１．１×１０−４１Ｊ・ｍ÷（１．５×１０−１０Ｊ）＝７．３３×１０−３２ｍです。
それで、７．３３×１０−３２ｍの軌道の磁気の光子の輪が生まれます。
磁気の光子の輪の大きさは７．３３×１０−３２ｍと、非常に小さいので、同じ大きさの軌道で、同じエネルギーで、同じ回転方向の磁気の光子は重なり合います。そして、（８×１０１５）１／２＝９×１０７個に成ります。
磁気の光子が９×１０７個で、核磁子＝５．０５０８×１０−２７Ｊ／Ｔです。
磁気の光子の輪１個のエネルギーは、
５．０５０８×１０−２７Ｊ÷（９×１０７個）＝５．６１２×１０−３５Ｊ  です。
この軌道は、
１０−４９Ｊ・ｍ÷（５．６１２×１０−３５Ｊ）＝１．７８×１０−１５ｍ  です。
即ち、磁気の光子の輪は、軌道が１．７８×１０−１５ｍのところでは、重なり合って８×１０１５個の磁気の光子の輪は（８×１０１５）１／２＝９×１０７個の輪になっています。
その９×１０７個の磁気の光子の輪のエネルギーが核磁子のエネルギーです。
陽子のラブの公転軌道は、
０．７５×１０−２５Ｊ・ｍ÷（１．５×１０−１０Ｊ）＝５×１０−１６ｍです。
陽子のラブは１公転すると１０８個の電気の光子の輪を作ります。
でも、生まれる電気の光子の軌道の輪が５×１０−１６ｍですから非常に小さいです。ほぼ同じ軌道で、同じエネルキーで、同じ回転方向の電気の光子は重なり合います。
１０８個の磁気の光子は重なり合います。
磁気の光子が９×１０７個ですから、電気の光子は１個です。
電気の光子の輪の大きさと、磁気の光子の輪の大きさは同じですから、電気の光子の輪の大きさは１．７８×１０−１５ｍです。
電気の光子のエネルギーは、
６．３６８×１０−３４Ｊ・ｍ÷（１．７８×１０−１５ｍ）＝３．５７８×１０−１９Ｊ  です。
即ち、電気の光子の輪は、軌道が１．７８×１０−１５ｍのところでは、重なり合って１０８個の電気の光子の輪は１個になっています。
陽子のラブが１公転して、１０８個の電気の光子の輪を作り、１０８個が回転していると考えた場合、
核子における電気の光子の輪の軌道エネルギーの式は、
６．３６８×１０−３４Ｊ・ｍ÷１０８÷軌道又はエネルギー＝６．３６８×１０−４２Ｊ・ｍ÷軌道又はエネルギーです。
磁気の光子の輪が８×１０１５個クロス回転していると考えた場合、
核子における磁気の光子の輪の軌道エネルギーの式は、
１０−４９Ｊ・ｍ÷（９×１０７）÷軌道又はエネルギー＝１．１×１０−５７Ｊ・ｍ÷軌道又はエネルギーです。
【請求項１４】
１つの電子から放出する電磁気は１ｍにはどれだけ存在するか。
１秒間に電子のラブは１０１６回公転するので、１０１６組の電磁気ができます。
それで、１秒間に１０１６組の電磁気が放出されます。
１秒間に電磁気は３×１０８ｍ走るとします。
１ｍ間には、
１０１６個÷（３×１０８ｍ）＝０．３３×１０８個  の電磁気が存在します。
それで、１個の電磁気は、
１ｍ÷（０．３３×１０８個）＝３．０３×１０−８ｍ  です。
【請求項１５】
万有引力を作っている磁気の光子の輪１個のエネルギーはどれ位か。
１原子によってできる万有引力は１．６３３７６×１０−３１Ｎ・ｍです。１．６３３７６×１０−３１Ｊです。
１ｍ間には０．３３×１０８個の電磁気が存在します。
万有引力は磁気の光子によってできるので、１ｍ間に存在する磁気の光子の輪は、
０．３３×１０８×８×１０１５個＝２．６４×１０２３個  です。
それで、１個の磁気の光子の輪のエネルギーは、
１．６３３７６×１０−３１Ｊ÷（２．６４×１０２３個）＝６．２×１０−５５Ｊです。
１束＝８×１０１５個の磁気の光子の輪のエネルギーはどれ位か。
６．２×１０−５５Ｊ×８×１０１５個＝４．９６×１０−３９Ｊ  です。
【請求項１６】
万有引力を作っている磁気の光子の輪１個の軌道エネルギーの式はどれ位か。
１組の電磁気は３．０３×１０−８ｍです。
電気の光子の輪に磁気の光子の輪がクロス回転していますから、磁気の光子の輪は、電磁気の１／１．５です。電気の光子の輪も電磁気の１／１．５です。
磁気の光子の輪の軌道は、
１／１．５×３×１０−８ｍ＝２×１０−８ｍです。
磁気の光子の軌道×磁気の光子の輪１個のエネルギー＝２×１０−８ｍ×６．２×１０−５５Ｊ＝１．２４×１０−６２Ｊ・ｍ
万有引力を作っている磁気の光子の輪１個の軌道エネルギーの式は、
１．２４×１０−６２Ｊ・ｍ÷軌道又はエネルギー  です。
【請求項１７】
万有引力を作っている電気の光子の輪１個の軌道エネルギーの式はどれ位か。
電気の光子の輪の軌道は２×１０−８ｍです。
電気の光子１個のエネルギーは、磁気の光子の６．３６８×１０１５倍ですから、
電気の光子の輪１個のエネルギー＝磁気の光子の輪１個のエネルギー×６．３６８×１０１５＝６．２×１０−５５Ｊ×６．３６８×１０１５＝３．９４８×１０−３９Ｊ  です。電気の光子の軌道×電気の光子の輪１個のエネルギー＝２×１０−８ｍ×３．９４８×１０−３９Ｊ＝７．８９６×１０−４７Ｊ・ｍ
引力を作っている電気の光子の輪１個の軌道エネルギーの式は、
７．８９６×１０−４７Ｊ・ｍ÷軌道又はエネルギー  です。
【請求項１８】
万有引力を作っている電磁気１組の軌道エネルギーの式はどれ位か。
１組の電磁気は１０８個の電気の光子の輪と、８×１０１５個の磁気の光子の輪です。
電気の光子の１０８個のエネルギーは、
４．２２８×１０−３９Ｊ×１０８＝４．２２８×１０−３１Ｊ    です。
磁気の光子の輪８×１０１５個のエネルギーは、４．９６×１０−３９Ｊですから、１組の電磁気のエネルギーは、
４．２２８×１０−３１Ｊ＋４．９６×１０−３９Ｊ≒４．２２８×１０−３１Ｊ  です。
電磁気の軌道は３×１０−８ｍですから、
電磁気の軌道×エネルギー＝３×１０−８ｍ×４．２２８×１０−３１Ｊ＝１．２６８×１０−３８Ｊ・ｍ
万有引力を作っている電磁気の軌道エネルギーの式は、
１．２６８×１０−３８Ｊ・ｍ÷軌道又はエネルギー  です。
【請求項１９】
万有引力を作っている磁気の光子の輪の束（８×１０１５個の磁気の光子の輪）の軌道エネルギーの式はどれ位か。
磁気の光子の輪の束のエネルギーは４．９６×１０−３９Ｊです。
磁気の光子の輪の軌道は２×１０−８ｍです。
磁気の光子の輪の束のエネルギー×磁気の光子の輪の束の軌道＝４．９６×１０−３９Ｊ×２×１０−８ｍ＝９．９２×１０−４７Ｊ・ｍ
引力を作っている磁気の光子の輪の束の軌道エネルギーの式は、
９．９２×１０−４７Ｊ・ｍ÷軌道又はエネルギーです。
この式が万有引力の軌道エネルギーの式です。
【請求項２０】
万有引力を作っている電気の光子の輪の束（１０８個の電気の光子の輪）の軌道エネルギーの式はどれ位か。
電気の光子の輪１０８個のエネルギーは、４．２２８×１０−３９Ｊ×１０８個＝４．２２８×１０−３１Ｊです。
電気の光子の輪に軌道は２×１０−８ｍです。
電気の光子の輪の束のエネルギー×電気の光子の輪の束の軌道＝４．２２８×１０−３１Ｊ×２×１０−８ｍ＝８．４５６×１０−３９Ｊ・ｍ
引力を作っている電気の光子の輪の朿の軌道エネルギーの式は、
８．４５６×１０−３９Ｊ・ｍ÷軌道又はエネルギー  です。
【請求項２１】
物質の原子において、ボーア磁子と電気の光子の輪が１組の電磁気になっている。その磁気の光子の輪１個の軌道エネルギーの式と、電気の光子の輪１個の軌道エネルギーの式と、電磁気１組の軌道エネルギーの式と、磁気の光子の輪の束の軌道エネルギーの式と、電気の光子の輪の束の軌道エネルギーの式はどれくらいか。
磁気の光子の輪１個の軌道エネルギーの式は、
磁気の光子の輪１個のエネルギーは１．１６×１０−３９Ｊで、軌道は８．６２×１０−１１ｍですから、
１．１６×１０−３９Ｊ×８．６２×１０−１１ｍ÷軌道又はエネルギー＝１０−４９Ｊ・ｍ÷軌道又はエネルギーです。
電気の光子の輪１個の軌道エネルギーの式は、
電気の光子の輪１個のエネルギーは７．３７８×１０−２４Ｊで、軌道は８．６２×１０−１１ｍですから、
７．３７８×１０−２４Ｊ×８．６２×１０−１１ｍ÷軌道又はエネルギー＝６．３６×１０−３４Ｊ・ｍ÷軌道又はエネルギー  です。
電磁気１組の軌道エネルギーの式は、
電磁気１組のエネルギーは、およそ電気の光子の輪１０８個のエネルギーで７．３７８×１０−１６Ｊ、軌道は、１．５×８．６２×１０−１１ｍ＝１．２９３×１０−１０ｍですから、
７．３７８×１０−１６Ｊ×１．２９３×１０−１０ｍ÷軌道又はエネルギー＝９．５４×１０−２６Ｊ・ｍ÷軌道又はエネルギー  です。
磁気の光子の輪の束の軌道エネルギーは、
磁気の光子の輪８×１０１５個のエネルギーは、１．１６×１０−３９Ｊ×８×１０１５個＝９．２８×１０−２４Ｊで、軌道は８．６２×１０−１１ｍですから、
９．２８×１０−２４Ｊ×８．６２×１０−１１ｍ÷軌道又はエネルギー＝８×１０−３４Ｊ・ｍ÷軌道又はエネルギーです。
電気の光子の輪の束の軌道エネルギーの式は、
電気の光子の輪の束のエネルギーは７．３７８×１０−１６Ｊで、軌道は８．６２×１０−１１ｍですから、
７．３７８×１０−１６×８．６２×１０−１１ｍ÷軌道又はエネルギー＝６．３６×１０−２６Ｊ・ｍ÷軌道又はエネルギー  です。
【請求項２２】
万有引力となっている軌道エネルギーは、物質の原子の電子の軌道エネルギーの何倍か。
万有引力となっている磁気の光子の輪の軌道エネルギーは、原子の電子の磁気の光子の輪の軌道エネルギーの何倍か。
万有引力となっている磁気の光子１個の軌道エネルギーの式は、１．２４×１０−６２Ｊ・ｍ÷軌道又はエネルギーで、原子の電子の磁気の光子１個の軌道エネルギーの式は、１０−４９Ｊ・ｍ÷軌道又はエネルギーですから、
万有引力となっている磁気の光子１個の軌道エネルギーは、原子の電子の磁気の光子１個の軌道エネルギーの、
１．２４×１０−６２Ｊ・ｍ÷１０−４９Ｊ・ｍ＝１．２４×１０−１３  倍です。
万有引力となっている電気の光子１個の軌道エネルギーは、原子の電子の電気の光子１個の軌道エネルギーの、
７．８９６×１０−４７Ｊ・ｍ÷（６．３６×１０−３４Ｊ・ｍ）＝１．２４×１０−１３  倍です。
万有引力となっている電磁気１組の軌道エネルギーは、原子の電子の電磁気１組の軌道エネルギーの、
１．２６８×１０−３８Ｊ・ｍ÷（９．５４×１０−２６Ｊ・ｍ）＝１．３４×１０−１３倍です。
万有引力となっている磁気の光子の輪の束の軌道エネルギーは、原子の電子の磁気の光子の輪の束の軌道エネルギーの、
９．９２×１０−４７Ｊ・ｍ÷（８×１０−３４Ｊ・ｍ）＝１．２４×１０−１３  倍です。
万有引力となっている電気の光子の輪の束の軌道エネルギーは、原子の電子の電気の光子の輪の束の軌道エネルギーの、
８．４５６×１０−３９Ｊ・ｍ÷６．３６×１０−２６Ｊ・ｍ＝１．３３×１０−１３  倍です。
万有引力となっている軌道エネルギーは、原子の電子の軌道エネルギーの約１０−１３倍です。よって、原子の電子の約１０１３分の１のエネルギーが万有引力のエネルギーになっている。
【請求項２３】
原子の電子の約１０１３分の１のエネルギーが万有引力のエネルギーになっているのはなぜか。
原子の軌道が約１０−１１ｍで、万有引力となる軌道が１ｍであるから、１ｍの軌道エネルギーは、１０−１１ｍの軌道エネルギーの１０−１１倍です。
そして更に、その軌道エネルギーの１パーセントが万有引力になっている。
それで、原子の軌道エネルギーの１０−１３倍が万有引力になる。
この事は、軌道エネルギーの１パーセントが万有引力のエネルギーになっていることです。同じ軌道で、同じエネルギーで、同じ方向の光子は１パーセントであるということです。
【発明の詳細な説明】
【技術分野】
【０００１】  この発明は電磁気の電流がどうしてできるのか、電磁気の磁気がどうしてできるのか、原子の中で電子はどのようになっているか、ボーア磁子について、核磁子について、原子の電子の電磁気について、万有引力を作っているエネルギーについて、原子の電子の電磁気のどれ位が万有引力のエネルギーに成っているか、これらに関する
【背景技術】
【０００２】従来、原子の中の電子で、電磁気がどのようにしてできるのか、その状態がどのようになっているのか詳しく理解されていない。
原子から放出する電磁波がどのようにできるのか詳しく理解されていない。
原子の電子の電磁気のどれ位のエネルギーが万有引力になっているのか詳しく理解されていない。
【本発明が解決しようとする課題】
１、引力の原理はなにか。
２、電気の光子の発生原理。
３、磁気の光子の発生原理。
４、原子において、電気の光子と磁気の光子はどのように成っているか。
５、本発明者は従来、磁気の光子１個の軌道エネルギーの式は、１．１×１０−４１Ｊ・ｍ÷軌道又はエネルギー  であると考えてきた。しかし、この軌道エネルギーの式は、磁気の光子１０８個の磁気の光子の軌道エネルギーである。
６、電気の光子の軌道エネルギーの式はどれ位か。
７、原子において、１秒間に電気の光子の輪はどれ位できるか。
８、原子の中で電子のラブが公転する時の秒速はどれ位か。
９、電子のラブは１秒間に何回自転するか。１秒間に磁気の光子の輪はどれ位できるか。
１０、電子のラブが１公転する時、電子のラブは何回自転するか。
１１、原子の中で磁気の光子はどのようになっているか。どのように成長するか。
１２、ボーア磁子とはどのような状態か。
１３、核磁子＝５．０５０８×１０−２７Ｊ／Ｔはどのような状態か。
１４、１つの電子から放出する電磁気は１ｍにはどれだけ存在するか。
１５、万有引力を作っている磁気の光子の輪１個のエネルギーはどれ位か。
１６、万有引力を作っている磁気の光子の輪１個の軌道エネルギーの式はどれ位か。
１７、万有引力を作っている電気の光子の輪１個の軌道エネルギーの式はどれ位か。
１８、１個の原子から放出する、万有引力を作っている電磁気１組の軌道エネルギーの式はどれ位か。
１９、万有引力を作っている磁気の光子の輪の束（８×１０１５個の磁気の光子の輪）の軌道エネルギーの式はどれ位か。
２０、万有引力を作っている電気の光子の輪の束（１０８個の電気の光子の輪）の軌道エネルギーの式はどれ位か。
２１、物質の原子の電子において、ボーア磁子と電気の光子の輪が１組の電磁気となっている。その磁気の光子の輪１個の軌道エネルギーの式と、電気の光子の輪１個の軌道エネルギーの式と、電磁気１組の軌道エネルギーの式と、磁気の光子の輪の束の軌道エネルギーの式と、電気の光子の輪の束の軌道エネルギーの式はどれくらいか。
２２、万有引力となっている軌道エネルギーは、物質の原子の電子の軌道エネルギーの何倍か。
２３、原子の電子の約１０１３分の１のエネルギーが万有引力のエネルギーになっているのはなぜか。
【課題を解決するための手段】
【０００４】  原子の外側の電子のラブの周囲を電磁気が回転しています。
電子のラブの軌道に沿って電気の光子が反対方向に走っています。これが電気の光子の輪です。
電気の光子の輪を磁気の光子がクロス回転しています。
これらが電子の電磁気です。
電子の磁気の光子の輪はボーア磁気で、これが放出し電磁気の磁気の光子の輪になります。
電磁気の電気の光子の輪も電子のラブが作ります。
ではどうして電子のラブは電気の光子の輪と磁気の光子の輪を作るのか。電子のラブはビッグバンの以前にできた物で非常に高エネルギーです。電子の質量エネルギーを電子のラブが持っています。それで、電子のラブが公転するとそのエネルギーは１０８個の電気の光子のエネルギーに成ります。電気の光子は電流に成ります。電気の光子が走る方向は電子のラブの反対方向です。電子のラブが１公転すると１０８個の電気の光子の輪ができます。
電子のラブは自転します。電子のラブの自転によって磁気の光子の輪ができます。電子のラブが１回自転すると１個の磁気の光子の輪ができます。電子のラブの自転は公転方向に対し垂直方向です。電子のラブの自転の反対方向に磁気の光子は走ります。
電子のラブの公転と自転によってできた電気の光子と磁気の光子は１組の電磁気になって原子の外側を回転します。この電磁気の磁気がボーア磁子です。
次々電子のラブによって電磁気はできますので、電子のラブは電磁気を放出します。
これが原子から放出する電磁気です。
この電磁気のエネルギーの一部が引力になります。
このように考えを進め課題を解決します。
【発明の実施態様】
１．引力の原理。
同じ大きさの軌道で、同じエネルギーで、同じ回転方向の電気の光子は重なり合う。同じ大きさの軌道で、同じ大きさのエネルギーで、同じ回転方向の磁気の光子は重なり合う。
重なり合う力（エネルギー）が引力です。
２．電気の光子の発生原理。（図１）
電気の光子は電子のラブが走る事によってできる。
１個の電子のラブは走って１０８個の電気の光子を作る。
１個の電子のラブは１公転して１０８個の電気の光子の輪を作る。
３．磁気の光子の発生原理。（図２）
磁気の光子は電子のラブが自転することによってできる。
電子のラブが１自転することによって１個の磁気の光子の輪ができる。
４．原子において、電気の光子と磁気の光子はどのように成っているか。（図３）
電子のラブは１公転し、電気の光子の輪を１０８個作る。
電気の光子の輪は１０８個で、電子のラブの公転方向の反対方向に回転する。
電子のラブが１公転している間に、電子のラブは８×１０１５回自転する。
磁気の光子の輪は８×１０１５個で、電気の光子の輪をクロス回転する。
これらが１組で、電子の電磁気である。
これが放出し電磁波となる。
それで、電磁気の  磁束密度÷電束密度＝８×１０１５÷１０８＝８×１０７  である。
５．本発明者は従来、磁気の光子１個の軌道エネルギーは、１．１×１０−４１Ｊ・ｍ÷軌道又はエネルギー  であると考えてきた。
しかし、この軌道エネルギーの式は、磁気の光子１０８個の磁気の光子の軌道エネルギーである。
１０８個の磁気の光子が集まって、まるで１個の磁気の光子のようになっているので、１０８個の磁気の光子の輪を１単位とする磁気の光子１単位の軌道エネルギーです。
磁気の光子１個の軌道エネルギーの式は、
１０−４１÷１０８Ｊ・ｍ÷軌道又はエネルギー＝１０−４９Ｊ・ｍ÷軌道又はエネルギー  です。
６．電気の光子の軌道エネルギーの式はどれ位か。
起電力÷起磁力＝７．９６×１０７＝電束密度÷磁束密度×電気の光子の軌道エネルギーの式÷磁気の光子の軌道エネルギーの式  ですから、
電気の光子の軌道エネルギーの式＝磁気の軌道エネルギーの式×７．９６×１０７×８×１０１５÷１０８＝６．３６８×１０−３４Ｊ・ｍ÷軌道又はエネルギー
電気の光子の軌道エネルギーの式は、
６．３６８×１０−３４Ｊ・ｍ÷軌道又はエネルギー  です。
電気の光子の軌道エネルギーは磁気の光子の軌道エネルギーの６．３６８×１０１５倍です。
７．原子において、１秒間に電気の光子の輪はどれ位できるか。
水素原子の電子の公転周期は１．５２×１０−１６秒です。
それで、水素の電子は１秒間に、
１÷（１．５２×１０−１６）＝６．５７９×１０１５  回公転する。
それで、原子の電子のラブは１秒間に、約１０１６回公転し、１０１６個の電気の光子の輪を作っているとする。
電子のラブが１公転すると１０８個の電気の光子の輪ができるから、１０１６回の公転でできる電気の光子の輪は、
１０１６×１０８個＝１０２４個です。
８．  原子の中で電子のラブが公転する時の秒速はどれ位か。
物質の原子の中で、電子のラブの公転軌道は、
１０−２５Ｊ・ｍ÷（８×１０−１４Ｊ）＝１．２５×１０−１２ｍです。
原子の中で、電子のラブは１秒間に１０１６回公転するとすると、電子のラブの秒速は、
電子のラブの秒速÷（１．２５×１０−１２ｍ×π）＝１０１６
電子のラブの秒速＝１０１６×１．２５×１０−１２ｍ×π＝３．９２５×１０４ｍ
原子の中で、電子のラブの公転速度は秒速３．９２５×１０４ｍです。
９．  電子のラブは１秒間に何回自転するか。１秒間に磁気の光子の輪はどれ位できるか。
電子のラブの自転軌道は、
１０−４１Ｊ・ｍ÷（８×１０−１４Ｊ）＝１．２５×１０−２８ｍ  です。
電子のラブが自転するときの秒速は３．９２５×１０４ｍですから、１秒間に自転する回数は、
３．９２５×１０４ｍ÷（１．２５×１０−２８×π）＝１０３２  回転です。
それで、電子のラブは１秒間に約１０３２回自転し、１０３２個の磁気の光子の輪を作っている。
（但し、８番と９番において、電子のラブの公転軌道を１０−２５Ｊａｍ÷（８×１０−１４Ｊ）とし、電子のラブの自転軌道を１０−４１Ｊ・ｍ÷（８×１０−１４Ｊ）として計算した。）
１０．電子のラブが１公転する時、電子のラブは何回自転するか。
電子のラブは１秒間に１０１６回公転する。
電子のラブは１秒間に１０３２回自転する。
電子のラブが１公転する時、電子のラブは何回自転するか。
１０３２÷１０１６＝１０１６  １０１６回自転している。
即ち、電子のラブが１公転し、１０８個の電気の光子の輪ができます。この間に、電子のラブは１０１６回自転し１０１６個の磁気の光子の輪ができます。
それで、１０８個の電気の光子の輪の周囲を、１０１６個の磁気の光子の輪がクロス回転します。
１１．原子の中で磁気の光子はどのようになっているか。どのように成長するか。
電子のラブの自転軌道は、１．１×１０−４１Ｊ・ｍ÷（８×１０−１４Ｊ）＝１．３７５×１０−２８ｍ  です。
それで、磁気の光子も１．３７５×１０−２８ｍの輪として生まれる。このエネルギーは、
１０−４９Ｊ・ｍ÷（１．３７５×１０−２８ｍ）＝７．２７２７×１０−２２Ｊ  です。
それから軌道を大きくするに従い、エネルギーは小さくなる。
軌道が８．６２×１０−１１ｍに成ると、エネルギーは、
１０−４９Ｊ・ｍ÷（８．６２×１０−１１ｍ）＝１．１６×１０−３９Ｊ  になる。
８．６２×１０−１１ｍの軌道をクロス回転している磁気の光子の輪は８×１０１５個であるから、その磁気の光子の輪のエネルギーは、
８×１０１５個×１．１６×１０−３９Ｊ＝９．２８×１０−２４Ｊ  です。
これがボーア磁子です。
１２．ボーア磁子とはどのような状態か。（図４）
ボーア磁子は９．２７４×１０−２４Ｊ／Ｔ  です。
電子のラブの外側には、１０８個の電気の光子の輪が１束になって、電子のラブの回転方向の反対力向に回転している。
その周囲を磁気の光子の輪が８×１０１５個、電子のラブの自転方向の反対方向にクロス回転している。
１０８個の電気の光子の輪は、電子のラブが１公転することによってできた。
８×１０１５個の磁気の光子の輪は、電子のラブが８×１０１５回自転することによってできた。
ボーア磁子は８×１０１５個の磁気の光子の輪のエネルギーである。
磁気の光子の輪１個のエネルギーは、
９．２７４×１０−２４Ｊ÷（８×１０１５個）＝１．１５９２５×１０−３９Ｊ  です。
それで、この軌道は、
１０−４９Ｊ・ｍ÷（１．１６×１０−３９Ｊ）＝８．６２×１０−１１ｍ  です。
故に、軌道が８．６２×１０−１１ｍの電気の光子の輪が１０８個束になって回転していて、その回転の輪を、軌道が８．６２×１０−１１ｍの磁気の光子の輪が８×１０１５個束になってクロス回転している状態です。
電気の光子の輪１個のエネルギーは、
６．３６８×１０−３４Ｊ・ｍ÷（８．６２×１０−１１ｍ）＝７．３７８×１０−２４Ｊ  です。
１０８個では、７．３７８×１０−１６Ｊです。
それで、これが放出すると電磁気になります。
電磁気となった場合、
起電力÷起磁力＝７．３７８×１０−１６Ｊ÷（９．２７４×１０−２４Ｊ）＝７．９５×１０７  です。
１３．核磁子＝５．０５０８×１０−２７Ｊ／Ｔはどのような状態か。（図５）
陽子のラブの自転の軌道は、１．１×１０−４１Ｊ・ｍ÷（１．５×１０−１０Ｊ）＝１．３３×１０−３２ｍです。
それで、７．３３×１０−３２ｍの軌道の磁気の光子の輪が生まれます。
磁気の光子の輪の大きさは７．３３×１０−３２ｍと、非常に小さいので、同じ大きさの軌道で、同じエネルギーで、同じ回転方向の磁気の光子は重なり合います。そして、（８×１０１５）１／２＝９×１０７個に成ります。
磁気の光子が９×１０７個で、核磁子＝５．０５０８×１０−２７Ｊ／Ｔです。
磁気の光子の輪１個のエネルギーは、
５．０５０８×１０−２７Ｊ÷（９×１０７個）＝５．６１２×１０−３５Ｊ  です。
この軌道は、
１０−４９Ｊ・ｍ÷（５．６１２×１０−３５Ｊ）＝１．７８×１０−１５ｍ  です。
即ち、磁気の光子の輪は、軌道が１．７８×１０−１５ｍのところでは、重なり合って８×１０１５個の磁気の光子の輪は（８×１０１５）１／２＝９×１０７個の輪になっています。
その９×１０７個の磁気の光子の輪のエネルギーが核磁子のエネルギーです。
陽子のラブの公転軌道は、
０．７５×１０−２５Ｊ・ｍ÷（１．５×１０−１０Ｊ）＝５×１０−１６ｍです。
陽子のラブは１公転すると１０８個の電気の光子の輪を作ります。
でも、生まれる電気の光子の軌道の輪が５×１０−１６ｍですから非常に小さいです。ほぼ同じ軌道で、同じエネルギーで、同じ回転方向の電気の光子は重なり合います。
１０８個の磁気の光子は重なり合います。
磁気の光子が９×１０７個ですから、電気の光子は１個です。
電気の光子の輪の大きさと、磁気の光子の輪の大きさは同じですから、電気の光子の輪の大きさは１．７８×１０−１５ｍです。
電気の光子のエネルギーは、
６．３６８×１０−３４Ｊ・ｍ÷（１．７８×１０−１５ｍ）＝３．５７８×１０−１９Ｊ  です。
即ち、電気の光子の輪は、軌道が１．７８×１０−１５ｍのところでは、重なり合って１０８個の電気の光子の輪は１個になっています。
陽子のラブが１公転して、１０８個の電気の光子の輪を作り、１０８個が回転していると考えた場合、
核子における電気の光子の輪の軌道エネルギーの式は、
６．３６８×１０−３４Ｊ・ｍ÷１０８÷軌道又はエネルギー＝６．３６８×１０−４２Ｊ・ｍ÷軌道又はエネルギーです。
磁気の光子の輪が８×１０１５個クロス回転していると考えた場合、
核子における磁気の光子の輪の軌道エネルギーの式は、
１０−４９Ｊ・ｍ÷（９×１０７）÷軌道又はエネルギー＝１．１×１０−５７Ｊ・ｍ÷軌道又はエネルギーです。
１４．１つの電子から放出する電磁気は１ｍにはどれだけ存在するか。
１秒間に電子のラブは１０１６回公転するので、１０１６組の電磁気ができます。
それで、１秒間に１０１６組の電磁気が放出されます。
１秒間に電磁気は３×１０８ｍ走るとします。
１ｍ間には、
１０１６個÷（３×１０８ｍ）＝０．３３×１０８個  の電磁気が存在します。
それで、１個の電磁気は、
１ｍ÷（０．３３×１０８個）＝３．０３×１０−８ｍ  です。
１５．万有引力を作っている磁気の光子の輪１個のエネルギーはどれ位か。
１原子によってできる万有引力は１．６３３７６×１０−３１Ｎ・ｍです。１．６３３７６×１０−３１Ｊです。
１ｍ間には０．３３×１０８個の電磁気が存在します。
万有引力は磁気の光子によってできるので、１ｍ間に存在する磁気の光子の輪は、
０．３３×１０８×８×１０１５個＝２．６４×１０２３個  です。
それで、１個の磁気の光子の輪のエネルギーは、
１．６３３７６×１０−３１Ｊ÷（２．６４×１０２３個）＝６．２×１０−５５Ｊです。
１束＝８×１０１５個の磁気の光子の輪のエネルギーはどれ位か。
６．２×１０−５５Ｊ×８×１０１５個＝４．９６×１０−３９Ｊ  です。
１６．万有引力を作っている磁気の光子の輪１個の軌道エネルギーの式はどれ位か。
１組の電磁気は３．０３×１０−８ｍです。
電気の光子の輪に磁気の光子の輪がクロス回転していますから、磁気の光子の輪は、電磁気の１／１．５です。電気の光子の輪も電磁気の１／１．５です。
磁気の光子の輪の軌道は、
１／１．５×３×１０−８ｍ＝２×１０−８ｍです。
磁気の光子の軌道×磁気の光子の輪１個のエネルギー＝２×１０−８ｍ×６．２×１０−５５Ｊ＝１．２４×１０−６２Ｊ・ｍ
万有引力を作っている磁気の光子の輪１個の軌道エネルギーの式は、
１．２４×１０−６２Ｊ・ｍ÷軌道又はエネルギー  です。
１７．万有引力を作っている電気の光子の輪１個の軌道エネルギーの式はどれ位か。
電気の光子の輪の軌道は２×１０−８ｍです。
電気の光子１個のエネルギーは、磁気の光子の６．３６８×１０１５倍ですから、電気の光子の輪１個のエネルギー＝磁気の光子の輪１個のエネルギー×６．３６８×１０１５＝６．２×１０−５５Ｊ×６．３６８×１０１５＝３．９４８×１０−３９Ｊ  です。
電気の光子の軌道×電気の光子の輪１個のエネルギー＝２×１０−８ｍ×３．９４８×１０−３９Ｊ＝７．８９６×１０−４７Ｊ・ｍ
引力を作っている電気の光子の輪１個の軌道エネルギーの式は、
７．８９６×１０−４７Ｊ・ｍ÷軌道又はエネルギー  です。
１８．万有引力を作っている電磁気１組の軌道エネルギーの式はどれ位か。
１組の電磁気は１０８個の電気の光子の輪と、８×１０１５個の磁気の光子の輪です。
電気の光子の１０８個のエネルギーは、
４．２２８×１０−３９Ｊ×１０８＝４．２２８×１０−３１Ｊ    です。
磁気の光子の輪８×１０１５個のエネルギーは、４．９６×１０−３９Ｊですから、１組の電磁気のエネルギーは、
４．２２８×１０−３１Ｊ＋４．９６×１０−３９Ｊ≒４．２２８×１０−３１Ｊ  です。
電磁気の軌道は３×１０−８ｍですから、
電磁気の軌道×エネルギー＝３×１０−８ｍ×４．２２８×１０−３１Ｊ＝１．２６８×１０−３８Ｊ・ｍ
万有引力を作っている電磁気の軌道エネルギーの式は、
１．２６８×１０−３８Ｊ・ｍ÷軌道又はエネルギー  です。
１９．万有引力を作っている磁気の光子の輪の束（８×１０１５個の磁気の光子の輪）の軌道エネルギーの式はどれ位か。
磁気の光子の輪の束のエネルギーは４．９６×１０−３９Ｊです。
磁気の光子の輪の軌道は２×１０−８ｍです。
磁気の光子の輪の束のエネルギー×磁気の光子の輪の束の軌道＝４．９６×１０−３９Ｊ×２×１０−８ｍ＝９．９２×１０−４７Ｊ・ｍ
引力を作っている磁気の光子の輪の束の軌道エネルギーの式は、
９．９２×１０−４７Ｊ・ｍ÷軌道又はエネルギーです。
この式が万有引力の軌道エネルギーの式です。
２０．万有引力を作っている電気の光子の輪の束（１０８個の電気の光子の輪）の軌道エネルギーの式はどれ位か。
電気の光子の輪１０８個のエネルギーは、４．２２８×１０−３９Ｊ×１０８個＝４．２２８×１０−３１Ｊです。
電気の光子の輪に軌道は２×１０−８ｍです。
電気の光子の輪の束のエネルギー×電気の光子の輪の束の軌道＝４．２２８×１０−３１Ｊ×２×１０−８ｍ＝８．４５６×１０−３９Ｊ・ｍ
引力を作っている電気の光子の輪の束の軌道エネルギーの式は、
８．４５６×１０−３９Ｊ・ｍ÷軌道又はエネルギー  です。
２１．物質の原子の電子において、ボーア磁子と電気の光子の輪が１組の電磁気となっている。その磁気の光子の輪１個の軌道エネルギーの式と、電気の光子の輪１個の軌道エネルギーの式と、電磁気１組の軌道エネルギーの式と、磁気の光子の輪の束の軌道エネルギーの式と、電気の光子の輪の束の軌道エネルギーの式はどれくらいか。
磁気の光子の輪１個の軌道エネルギーの式は、
磁気の光子の輪１個のエネルギーは１．１６×１０−３９Ｊで、軌道は８．６２×１０−１１ｍですから、
１．１６×１０−３９Ｊ×８．６２×１０−１１ｍ÷軌道又はエネルギー＝１０−４９Ｊ・ｍ÷軌道又はエネルギーです。
電気の光子の輪１個の軌道エネルギーの式は、
電気の光子の輪１個のエネルギーは７．３７８×１０−２４Ｊで、軌道は８．６２×１０−１１ｍですから、
７．３７８×１０−２４Ｊ×８．６２×１０−１１ｍ÷軌道又はエネルギー＝６．３６×１０−３４Ｊ・ｍ÷軌道又はエネルギー  です。
電磁気１組の軌道エネルギーの式は、
電磁気１組のエネルギーは、およそ電気の光子の輪１０８個のエネルギーで７．３７８×１０−１６Ｊ、軌道は、１．５×８．６２×１０−１１ｍ＝１．２９３×１０−１０ｍですから、
７．３７８×１０−１６Ｊ×１．２９３×１０−１０ｍ÷軌道又はエネルギー＝９．５４×１０−２６Ｊ・ｍ÷軌道又はエネルギー  です。
磁気の光子の輪の束の軌道エネルギーの式は、
磁気の光子の輪８×１０１５個のエネルギーは、１．１６×１０−３９Ｊ×８×１０１５個＝９．２８×１０−２４Ｊで、軌道は８．６２×１０−１１ｍですから、
９．２８×１０−２４Ｊ×８．６２×１０−１１ｍ÷軌道又はエネルギー＝８×１０−３４Ｊ・ｍ÷軌道又はエネルギーです。
電気の光子の輪の束の軌道エネルギーの式は、
電気の光子の輪の束のエネルギーは７．３７８×１０−１６Ｊで、軌道は８．６２×１０−１１ｍですから、
７．３７８×１０−１６×８．６２×１０−１１ｍ÷軌道又はエネルギー＝６．３６×１０−２６Ｊ・ｍ÷軌道又はエネルギー  です。
２２．万有引力となっている軌道エネルギーは、物質の原子の電子の軌道エネルギーの何倍か。
万有引力となっている磁気の光子の輪の軌道エネルギーは、原子の電子の磁気の光子の輪の軌道エネルギーの何倍か。
万有引力となっている磁気の光子１個の軌道エネルギーの式は、１．２４×１０−６２Ｊ・ｍ÷軌道又はエネルギーで、原子の電子の磁気の光子１個の軌道エネルギーの式は、１０−４９Ｊ・ｍ÷軌道又はエネルギーですから、
万有引力となっている磁気の光子１個の軌道エネルギーは、原子の電子の磁気の光子１個の軌道エネルギーの、
１．２４×１０−６２Ｊ・ｍ÷１０−４９Ｊ・ｍ＝１．２４×１０−１３  倍です。
万有引力となっている電気の光子１個の軌道エネルギーは、原子の電子の電気の光子１個の軌道エネルギーの、
７．８９６×１０−４７Ｊ・ｍ÷（６．３６×１０−３４Ｊ・ｍ）＝１．２４×１０−１３  倍です。
万有引力となっている電磁気１組の軌道エネルギーは、原子の電子の電磁気１組の軌道エネルギーの、
１．２６８×１０−３８Ｊ・ｍ÷（９．５４×１０−２６Ｊ・ｍ）＝１．３４×１０−１３  倍です。
万有引力となっている磁気の光子の輪の束の軌道エネルギーは、原子の電子の磁気の光子の輪の束の軌道エネルギーの、
９．９２×１０−４７Ｊ・ｍ÷（８×１０−３４Ｊ・ｍ）＝１．２４×１０−１３  倍です。
万有引力となっている電気の光子の輪の束の軌道エネルギーは、原子の電子の電気の光子の輪の束の軌道エネルギーの、
８．４５６×１０−３９Ｊ・ｍ÷６．３６×１０−２６Ｊ・ｍ＝１．３３×１０−１３  倍です。
万有引力となっている軌道エネルギーは、原子の電子の軌道エネルギーの約１０−１３倍です。
よって、原子の電子の約１０１３分の１のエネルギーが万有引力のエネルギーになっている。
２３．原子の電子の約１０１３分の１のエネルギーが万有引力のエネルギーになっているのはなぜか。
原子の軌道が約１０−１１ｍで、万有引力となる軌道が１ｍであるから、１ｍの軌道エネルギーは、１０−１１ｍの軌道エネルギーの１０−１１倍です。
そして更に、その軌道エネルギーの１パーセントが万有引力になっている。
それで、原子の軌道エネルギーの１０−１３倍が万有引力になる。
この事は、軌道エネルギーの１パーセントが万有引力のエネルギーになっていることです。
同じ軌道で、同じエネルギーで、同じ方向の光子は１パーセントであるということです。
【発明の効果】
【０００６】原子の中で、電子のラブは１公転し１０８個の電気の光子の輪を作っている事が解った。
電子のラブは１回自転し、１個の磁気の光子の輪を作っている事が解った。
電子のラブは１公転する間に１０１６回自転するので、電気の光子の輪が１０８個できる間に磁気の光子の輪は１０１６個できる事が解った。
これが１組の電磁気になる。
ボーア磁子は、この磁気の光子の輪の束のエネルギーである。
この電磁気が原子から放出する。次々放出する。
磁気の光子の輪１個の軌道エネルギーの式、電気の光子の輪１個の軌道エネルギーの式、電磁気１組の軌道エネルギーの式、磁気の光子の輪の束の軌道エネルギーの式、電気の光子の輪の束の軌道エネルギーの式を理解できた。
同じ大きさの光子の輪で、同じエネルギーで、同じ回転方向なので、電磁気は重なり合う。
これが引力である。
ボーア磁子の磁気の光子のエネルギーに対して、引力になっているエネルギーは、１０１３分の１である事が解った。
この事は軌道エネルギーの１パーセントのエネルギーが万有引力になっていることです。
本発明者は今まで、電気の光子が１個と磁気の光子が８×１０７個で、１組の電磁気となって、いると考えてきた。しかしこれは誤りである。電子のラブは１公転に１０８個の電気の光子の輪を作るからです。
それで、今まで考えてきた、磁気の光子の軌道エネルギーの式＝１．１×１０−４１Ｊ・ｍ÷軌道又はエネルギー  は、磁気の光子が１０８個集まったものであると気づいた。
今まで考えてきた磁気の光子の軌道エネルギーは、１０８個の磁気の光子を１単位とする軌道エネルギーである。
光子は同じ大きさ、同じエネルギー、同じ方向のものは重なり合う。
電子のラブでできた電気の光子も磁気の光子も重なり合う。電気の光子は電気の光子と、磁気の光子は磁気の光子と重なり合う。
それで、電子のラブの自転によってできる１０８個の磁気の光子はあたかも１個の磁気の光子のように観察される。
電子のラブの公転によってできる１０８個の電気の光子はあたかも１個の電気の光子のように観察される。
陽子のラブの自転によってできる１０８個の磁気の光子はあたかも１個の磁気の光子のように観察される。
本発明によって、電子のラブの自転が磁気の光子の輪を作り、電子のラブの公転が電気の光子の輪を作り、これが電磁気になる事が確かな事であると理解できた。
この事によって、電子のラブの存在が明確なものとなった。
【図面の簡単な説明】
【図１】  電子のラブは１公転して１０８個の電気の光子の輪を作る。
【図２】  電気のラブは１自転して１個の磁気の光子の輪を作る。
【図３】  電子のラブが１公転して１０８個の電気の光子の輪を作り、その間に、電子のラブは８×１０１５回自転して８×１０１５個の磁気の光子の輪を作る。これが１組の電磁気になる。
【図４】  ボーア磁子は８×１０１５個の磁気の光子のです。１個の磁気の光子は１．１６×１０−３９Ｊで、軌道は８．６２×１０−１１ｍです。電気の光子の輪の軌道は８．６２×１０−１１ｍで、エネルギーは７．３７８×１０−２４Ｊです。１０８個の電気の光子の輪の束のエネルギーは７．３７８×１０−１６Ｊです。電子のラブの自転の軌道は１．３７５×１０−２８ｍで、公転の軌道は０．９３７５×１０−１２ｍです。
【図５】  核磁子は９×１０７個の磁気の光子の輪とみなします。１個の磁気の光子のエネルギーは５．６１２×１０−３５Ｊで、軌道は１．７８×１０−１５ｍです。陽子の電気の光子の輪は１０８個集まって、１個の電気の光子の輪になっています。軌道は１．７８×１０−１５ｍで、エネルギーは３．５７８×１０−１９Ｊです。陽子の自転軌道は７．３３×１０−３２ｍで、公転軌道は５×１０−１６ｍです。
【符号の説明】
１  電子のラブ    ２  電子のラブの公転    ３  １０８個の電気の光子の輪の束
４  電子のラブの自転    ５  磁気の光子の輪    ６  ８×１０１５個の磁気の光子の輪
７  電子のラブの自転軌道は１．３７５×１０−２８ｍ
８  電子のラブの公転軌道は０．９３７５×１０−１２ｍ    ９  ボーア磁子
１０  電気の光子の輪の束    １１  陽子のラブ
１２  陽子の自転軌道は７．３３×１０−３２ｍ
１３  陽子の公転軌道は５×１０−１６ｍ    １４  核磁子
１５  陽子の電気の光子の輪
【図１】
2005269888.tif 000003
【図２】
2005269888.tif 000004
【図３】
2005269888.tif 000005
【図４】
2005269888.tif 000006
【図５】
2005269888.tif 000007